(57)【要約】【課題】従来の数本からなる放電管をグローブで覆った形状の電球形蛍光ランプは、数本からなる放電管を補強するためにシリコンを用いており、放電管は点灯すると熱を持ち補強しているシリコンからガスがグローブ内部に放出される。このガスがグローブ内に充満することにより、明るさの低下、また特にクリアなグローブにおいてはシリコンガスがグローブ内面に付着することによる着色による外観上の問題を抱えている。また、長期間に渡る使用においてはグローブ表面に油分等が付着することによる明るさの低下が生じる。【解決手段】グローブ内側の一部ないし全体、外側の一部ないし全体、もしくは放電管の一部ないし全体に光触媒膜を施す。またはグローブと放電管の両方に光触媒膜を施す。【選択図】　図１
2004119325.tif 000002
【特許請求の範囲】
【請求項１】
少なくとも１本、もしくはそれ以上の放電管をグローブで覆った形状の電球形蛍光ランプにおいて、グローブ内側表面の一部ないし全体に光触媒膜を設けたことを特徴とする電球形蛍光ランプ。
【請求項２】
少なくとも１本、もしくはそれ以上の放電管をグローブで覆った形状の電球形蛍光ランプにおいて、放電管表面の一部ないし全体に光触媒膜を設けたことを特徴とする電球形蛍光ランプ。
【請求項３】
少なくとも１本、もしくはそれ以上の放電管をグローブで覆った形状の電球形蛍光ランプにおいて、グローブ内側表面の一部ないし全体とグローブ外側表面の一部ないし全体の少なくとも一方に光触媒膜を設けたことを特徴とする電球形蛍光ランプ。
【請求項４】
前記光触媒膜は酸化チタンを有することを特徴とする請求項１乃至３記載の電球形蛍光ランプ。
【発明の詳細な説明】
【０００１】
【発明の属する技術分野】
本発明は、電球形蛍光ランプの点灯状態において放電管等の発熱によりグローブ内部に発生するシリコンガスを光触媒反応で分解させることで明るさを維持させ、或いはグローブ外側の油汚れ等を光触媒反応で分解させることで明るさを維持させる電球形蛍光ランプの構造に関する。
【０００２】
【従来の技術】
一般に数本からなる放電管をグローブで覆った形状の電球形蛍光ランプは、数本からなる放電管を保持または補強するためにシリコンを用いている。放電管は点灯すると発熱するため、前記シリコンからガスがグローブ内部に放出される。このガスがグローブ内に充満することによって、明るさ低下の一要因となる。また特に透明なグローブにおいてはシリコンガスがグローブ内側表面に付着することによって着色するという外観上の問題も抱えている。また、電球形蛍光ランプを長期に渡って使用しているとグローブ表面に油分等が付着して明るさ低下の一要因となる。
【０００３】
【課題を解決するための手段】
本発明に係る数本からなる放電管をグローブで覆った形状の電球形蛍光ランプの構造は、グローブ内側表面の一部ないし全体と、グローブ外側表面の一部ないし全体の少なくとも一方に光触媒膜を施す。或いは放電管の一部ないし全体に光触媒膜を施す。光触媒膜は放電管から発生する紫外線領域の波長により、グローブ内部に充満しているシリコンガスを分解する。
グローブが透明の場合は、特にシリコンガスがグローブ内側に付着して着色を生じる。そこでグローブ内側表面に光触媒膜を施すことにより、グローブ内部に充満するシリコンガスを分解するとともに、バルブ表面に付着したシリコンガスを分解することにより着色を防止することになり、また明るさ低下も防止することになる。
グローブ内側表面にシリカなどを塗布している場合は、光触媒膜成分をシリカなどに混ぜ込んで、同時に塗布することで安価に製作することができる。
グローブ外側に塗布した光触媒膜はグローブ外側表面に付着した油分等を分解するため、
明るさ低下を防止することになる。
【０００４】
【発明の実施の形態】
本発明に係る数本からなる放電管をグローブで覆った形状の電球形蛍光ランプにおける構造の実施形態につき、その実施例を挙げて、添付図面を参照しながら以下詳細に説明する。
図１は、グローブの内側及び外側に光触媒膜を施した電球形蛍光ランプの構造透視図の一例図である。図１において、参照符号１は光触媒膜塗布グローブ、２は放電管、３は補強用シリコン、４は回路内蔵ハウジングソケットである。図１に示すような電球形蛍光ランプは、点灯すると３の補強用シリコンからシリコンガスが放出され、１の光触媒膜塗布グローブの中で充満し、グローブ内側にも付着する。これらのシリコンガスを１の光触媒膜塗布グローブで分解することにより、シリコンガスによる明るさ低下とグローブの着色を防ぐことが出来る。また、１の光触媒膜塗布グローブは外側表面に付着した油分等を分解することによっても明るさ低下を防ぐことができる。
１の光触媒膜塗布グローブはグローブの内側と外側のどちらか片側だけに光触媒膜を塗布してもよい。
図２は、放電管に光触媒膜を施した電球形蛍光ランプの構造透視図の一例図である。図２において、５はグローブ、６は光触媒膜付放電管、３は補強用シリコン、４は回路内蔵ハウジングソケットである。図２に示すような電球形蛍光ランプは、点灯すると３の補強用シリコンからシリコンガスが放出され、５のグローブの中で充満する。このシリコンガスを６の光触媒膜付放電管で分解することにより、シリコンガスによる明るさ低下を防ぐことが出来る。
図３はグローブの内側及び外側と、放電管に光触媒膜を施した電球形蛍光ランプの構造透視図の一例図である。図３において、１は光触媒膜塗布グローブ、６は光触媒膜付放電管、３は補強用シリコン、４は回路内蔵ハウジングソケットである。図３に示すような電球形蛍光ランプは、点灯すると３の補強用シリコンからシリコンガスが放出され、１の光触媒膜塗布グローブの中で充満し、グローブ内側にも付着する。これらのシリコンガスは１の光触媒膜塗布グローブ及び６の光触媒膜付放電管にて分解し、１の光触媒膜塗布グローブの内側に付着したシリコンガスについては、１の光触媒膜塗布グローブにて分解することでシリコンガスによる明るさ低下及びグローブの着色を防ぐことが出来る。また、１の光触媒膜塗布グローブは外側表面に付着した油分等を分解することによっても明るさ低下を防ぐことができる。
１の光触媒膜塗布グローブはグローブの内側と外側のどちらか片側だけに光触媒膜を塗布してもよい。
図４は、光触媒膜付グローブの塗布方法の一例図である。図４において５はグローブ、７はスプレーである。７のスプレーを５のグローブの中で回転しながら噴霧する事でグローブ内側を塗布することが出来る。
また、５のグローブが軸方向に回転し、固定された７のスプレーが噴霧することで５のグローブ外側を塗布することが出来る。また、７のスプレーを着色塗料と光触媒膜材料を混ぜ合わせて同様にスプレーで塗布してもよい。
図５は、光触媒膜付放電管の塗布方法の一例図である。図５において２は放電管、７はスプレーである。２の放電管が軸方向に回転し、固定された７のスプレーが噴霧する事で２の放電管を塗布することが出来る。また、固定された２の放電管の周りを７のスプレーが回転しながら噴霧する方法もある。また、光触媒膜剤をためた容器内に２の放電管をつけ込み、引き上げることで塗布する方法もある。
【０００５】
【発明の効果】
前述した実施例から明らかなように、本発明に係るグローブの内側に光触媒膜を施した電球形蛍光ランプの構造にすることで、グローブ内部に充満するシリコンガス、及びグローブ内部に付着したシリコンガスを分解し、シリコンガスによる明るさ低下およびグローブ着色を防ぐことの出来る電球形蛍光ランプを得ることができる。また、グローブの外側に光触媒膜を施すことによってグローブ表面の油分等を分解し、明るさ低下を防ぐことが出来る電球形蛍光ランプを得ることができる。
【図面の簡単な説明】
【図１】グローブの内側及び外側に光触媒膜を施した電球形蛍光ランプの構造透視図の一例図である。
【図２】放電管に光触媒膜を施した電球形蛍光ランプの構造透視図の一例図である。
【図３】グローブの内側及び外側と放電管に光触媒膜を施した電球形蛍光ランプの構造透視図の一例図である。
【図４】光触媒膜付グローブの塗布方法の一例図である。
【図５】光触媒膜付放電管の塗布方法の一例図である。
【符号の説明】
１・・・光触媒膜塗布グローブ
２・・・放電管
３・・・補強用シリコン
４・・・回路内蔵ハウジングソケット
５・・・グローブ
６・：・光触媒膜付放電管
７・・・スプレー。
【図１】
2004119325.tif 000003
【図２】
2004119325.tif 000004
【図３】
2004119325.tif 000005
【図４】
2004119325.tif 000006
【図５】
2004119325.tif 000007